(57)【要約】      （修正有）【課題】溶接システム内の電源及びワイヤ送給装置の接続性を効果的に識別するための溶接システムを提供する。【解決手段】溶接システムは、溶接材料を溶接位置に供給する、少なくとも１つのワイヤ送給装置を含む。少なくとも１つの電源が、各ワイヤ送給装置に電力を供給するために接続される。入力コンポーネント１３２、１３４、１３６、１３８が各ワイヤ送給装置に付随し、入力コンポーネントは、ワイヤ送給装置と電源との間のデータの伝送を開始させるために利用される。出力コンポーネント１４２、１４４、１４６、１４８が各電源に付随する。出力コンポーネントは、ワイヤ送給装置と電源の接続性を識別するために入力コンポーネントによって開始されるデータ伝送に応じて出力を生成する。【選択図】図１
0003195867.tif 000002
【実用新案登録請求の範囲】
【請求項１】
コンポーネントの接続性を識別する溶接システムであって：
溶接材料を溶接位置に供給する、少なくとも１つのワイヤ送給装置；
それぞれの前記ワイヤ送給装置に電力を供給するように接続される少なくとも１つの電源；
それぞれの前記ワイヤ送給装置に付随する入力コンポーネントであって、前記ワイヤ送給装置と前記ワイヤ送給装置に接続される前記電源との間のデータ伝送を開始させるために利用される、入力コンポーネント；及び
それぞれの前記電源に付随する出力コンポーネントであって、前記ワイヤ送給装置及び前記電源の接続性を識別するために前記入力コンポーネントによって開始される前記データ伝送に応じて出力を生成する、出力コンポーネント；を有する、
溶接システム。
【請求項２】
前記電源に付随する前記入力コンポーネントによって開始される前記データ伝送に応じて信号を送信する、前記ワイヤ送給装置に付随する出力コンポーネントをさらに含む、
請求項１に記載の溶接システム。
【請求項３】
前記ワイヤ送給装置と前記電源との間の接続性を識別するためにデータ伝送を開始させることができる、それぞれの前記電源に付随する入力コンポーネントをさらに含む、
請求項１又は２に記載の溶接システム。
【請求項４】
前記ワイヤ送給装置及び前記電源の両方からデータを受信し、前記ワイヤ送給装置及び前記電源の少なくとも１つの識別特性を評価し、前記ワイヤ送給装置が前記電源に接続されているかどうかを決定し、並びに前記ワイヤ送給装置及び前記電源の接続性に関する出力を送信する、処理コンポーネントをさらに含む、
請求項１乃至３のいずれか１項に記載の溶接システム。
【請求項５】
前記接続性の識別が、前記電源及び前記ワイヤ送給装置の少なくとも一方の物理的な位置を表示する携帯デバイスに送信され、
前記携帯デバイスは、好ましくは、タブレット、携帯電話、グローバルポジショニングシステム及びラップトップコンピュータのうちの１つである、
請求項１乃至４のいずれか１項に記載の溶接システム。
【請求項６】
前記電源が前記ワイヤ送給装置に接続されているかどうかを決定するために、前記ワイヤ送給装置及び前記電源の少なくとも１つの識別特性をメモリに記憶されたデータと比較することによって、前記少なくとも１つの識別特性を評価する、相関コンポーネントをさらに含み、
前記識別特性は、好ましくは、シリアルナンバ、型番、製造業者、ＲＦＩＤタグ、ＧＰＳ座標、電力要求、電流要求、電圧要求及び通信プロトコルのうちの少なくとも１つである、
請求項１乃至５のいずれか１項に記載の溶接システム。
【請求項７】
それぞれの前記電源とそれに接続する前記ワイヤ送給装置との間のデータ伝送を容易にする制御ケーブルをさらに含む、
請求項１乃至６のいずれか１項に記載の溶接システム。
【請求項８】
前記入力コンポーネントによって開始される前記データ伝送は、無線プロトコルによって伝送される、
請求項１乃至７のいずれか１項に記載の溶接システム。
【請求項９】
前記出力コンポーネントは、光、ブザー、フラッシャ及び可動旗のうちの１つである、
請求項１乃至８のいずれか１項に記載の溶接システム。
【請求項１０】
コンポーネントの接続性を識別する、特に請求項１乃至９のいずれか１項に記載の溶接システムであって：
電力を生成するとともに電気アーク溶接作業の中で溶接材料に電力を供給する電源；
溶接材料を溶接位置に供給する、前記電源に接続される少なくとも１つのワイヤ送給装置；
データ伝送を開始させる、前記ワイヤ送給装置又は前記電源に付随する、入力コンポーネント；及び
前記ワイヤ送給装置の前記電源との間の接続性を識別するために前記入力コンポーネントによって開始される前記データ伝送に少なくとも部分的に基づいて通知を生成する、前記電源又は前記ワイヤ送給装置に付随する、出力コンポーネント；を有する、
溶接システム。
【請求項１１】
前記データ伝送を容易にするために前記ワイヤ送給装置と前記電源との間に接続される制御ケーブルをさらに含み、
前記データは、シリアル通信プロトコル、赤外線通信プロトコル、直接モデム通信、リモートダイヤルアップネットワーク通信、リモートアクセスサービスを経由して、無線モデム通信、無線セルラーデジタルパケットデータ、無線ブルートゥース（商標）通信及びファイヤーワイヤ（商標）通信のうちの少なくとも１つによって、前記制御ケーブルを介して、伝送される、
請求項１乃至１０のいずれか１項に記載の溶接システム。
【請求項１２】
少なくとも１つのワイヤ送給装置及び電源に対して配置されるＲＦＩＤタグ、をさらに含む；及び／又は
前記１又は複数のＲＦＩＤタグから情報を受信し、それぞれの前記ＲＦＩＤタグに対して関連付けられる前記ワイヤ送給装置及び前記電源の接続性を評価し、並びに前記ワイヤ送給装置と前記電源との間の接続性の通知を出力する、処理コンポーネント、をさらに含む；及び／又は
１又は複数の前記ワイヤ送給装置に対する前記電源の接続性を評価する相関コンポーネントと；
前記電源のうちの１又は複数の及び前記１又は複数のワイヤ送給装置の物理的な位置を識別するために、表示のために前記相関コンポーネントから接続性情報を受信する携帯デバイスであって、タブレット、携帯電話、グローバルポジショニングシステム及びラップトップコンピュータのうちの一つである、携帯デバイスと；をさらに含む、
請求項１乃至１１のいずれか１項に記載の溶接システム。
【請求項１３】
前記入力コンポーネントは、押しボタン、スライダ、キー、スイッチ及びタッチスクリーンのうちの少なくとも１つである、
請求項１乃至１２のいずれか１項に記載の溶接システム。
【考案の詳細な説明】
【技術分野】
【０００１】
本開示は、溶接システム内の構成要素の識別、特に、ユーザ通知を用いて電源及びワイヤ送給装置の接続性を確認するためのシステム及び方法に関する。
【背景技術】
【０００２】
製造者はしばしば、大きい溶接物、例えば、貨車、農業機械又ははしけ等を作るとき、溶接電源を作業スペースの周辺に沿って設置する。溶接物は、オペレータがワイヤ送給装置を特定の溶接場所の近くに動かすことを可能にするよう、作業スペースの中央の中に置かれる。１又は複数のケーブルが、各ワイヤ送給装置をこのような溶接システム内の電源に接続するために用いられる。基本的な実施では、電極ケーブルが、特定の送給装置モデル、例えばＬｉｎｃｏｌｎ  Ｅｌｅｃｔｒｉｃ（登録商標）  ＬＮ−２５  ＰＲＯ等の中で溶接ワイヤを送給するために用いられる。特定のワイヤ送給装置モデル、例えばＬｉｎｃｏｌｎ  Ｅｌｅｃｔｒｉｃ（登録商標）  ＬＦ−７２等、はまた、電力及び／又は制御信号を送るケーブルを含み得る。
【考案の概要】
【考案が解決しようとする課題】
【０００３】
従来の実施では、溶接作業で用いられるケーブルの優位を占める色は黒である。結果として、複数のケーブルが作業スペースの床にあるとき、電源とワイヤ送給装置の接続性を識別することは困難である。この問題は、複数の溶接システムが比較的制限された作業スペース内に実装されるとき、悪化する。従来のシステムは構成要素間の接続性を識別するために非効率なプロセスを提供するので、有害な結果が生じ得る。例えば、ワイヤ送給装置が、適合しない電源に誤って結合される可能性があり、それによって、ワイヤ送給装置及び／又は電源を故障させる。さらに、メンテナンス問題が生じた場合には、電源／ワイヤ送給装置の組み合わせを効率的に配置すること及びトラブルシューティングは問題になり得る。これらの及び他の欠点を考慮して、溶接システム内の電源及びワイヤ送給装置の接続性を効果的に識別するためのシステム及び方法が必要とされる。
【課題を解決するための手段】
【０００４】
１つの態様では、電源及びワイヤ送給装置の接続性が、溶接システム内で識別される。溶接システムは、少なくとも１つのワイヤ送給装置を含み、このワイヤ送給装置は、溶接材料を溶接位置に供給する。少なくとも１つの電源が、電力を各ワイヤ送給装置に供給するために接続される。入力コンポーネントが、各ワイヤ送給装置に付随し、入力コンポーネントは、ワイヤ送給装置とワイヤ送給装置に接続された電源との間のデータ伝送を開始させるために利用され得る。出力コンポーネントが、各電源に付随する。出力コンポーネントは、ワイヤ送給装置と電源との接続性を識別するために、入力コンポーネントによって開始されたデータ伝送に応じて、出力を生成する。
【０００５】
他の態様では、溶接システムが構成要素の接続性を識別する。電源が、電力を生成するとともに電力を電気アーク溶接作業内で溶接材料に供給する。少なくとも１つのワイヤ送給装置が電源に接続され、このワイヤ送給装置は溶接材料を溶接位置に供給する。ワイヤ送給装置に付随する、入力コンポーネントがデータ伝送を開始させる。電源に付随する、出力コンポーネントが、電源とのワイヤ送給装置の接続性を識別するために、入力コンポーネントによって開始されたデータ伝送に少なくとも部分的に基づいて、通知を生成する。
【０００６】
さらに別の態様では、方法が、溶接システム内の電源とワイヤ送給装置との間の接続性を識別するために用いられる。入力が、溶接システム内の電源に接続されたワイヤ送給装置から受信される。いったんどの電源がワイヤ送給装置に接続されているかが決定されると、出力がこのような接続性を識別するために送信される。
【０００７】
この簡潔な記載は、本明細書にさらに記載される単純化された形態の概念の選択を紹介するために提供される。この簡潔な記載は、請求項に記載される主題の重要な特徴又は必須の特徴を識別することを意図するものではなく、また、請求項に記載される主題範囲を限定するために使用されることを意図するものでもない。さらに、請求項に記載される主題は、この開示のいずれかの部分に記載されたいずれかの又は全ての欠点を解決する実装に限定されるものではない。本考案のさらなる態様、実施形態及び利点は、詳細な説明、請求項及び図面から推測できる。
【図面の簡単な説明】
【０００８】
以下に詳細に記載されるように、本考案の特定の実施形態及び更なる利点が示される添付の図面が参照される。
【図１】溶接作業内のワイヤ送給装置の電源への接続性を識別するシステムである。
【図２】溶接作業内のワイヤ送給装置の電源への接続性を識別するための専用制御線を用いるシステムである。
【図３】溶接作業内のワイヤ送給装置の電源への接続性を識別するための無線接続を用いるシステムである。
【図４】溶接作業内のワイヤ送給装置の電源への接続性を評価するとともに識別するためのコンピューティングデバイスを用いるシステムである。
【図５】溶接作業内のワイヤ送給装置の電源への接続性を識別するとともに出力するための相関コンポーネント及び携帯デバイスを用いるシステムである。
【図６】ワイヤ送給装置の電源への接続性を識別するための通知を出力するための方法である。
【図７】ワイヤ送給装置の電源への接続性を識別するための通知を出力するための方法である。
【考案を実施するための形態】
【０００９】
ここで図を参照すると、本考案の幾つかの実施形態又は実装が、図面と併せて以下に記載され、同様の参照番号が全体に渡って同様の要素を示すために使用される。本開示は、溶接システムに関連し、個別の電源とワイヤ送給装置との間の接続性の識別が、評価及び／又は出力コンポーネントを利用して容易にされる。様々な例示的な溶接システムという面で以下に図示されるとともに説明されているが、本考案は図示された例に限定されるものではない。
【００１０】
図１は溶接システム１００を示し、この溶接システム１００は、複数のワイヤ送給装置１２０に結合された複数の電源１１０を含む。各ワイヤ送給装置は、溶接物１５０に溶接部を配置するために溶接システム１００内で電源とともに利用される。例では、溶接部１５０は、例えば、貨車、建設機械、農業機械、軍用車両等、大型構造物である。この規模の構造物は、基本的に位置が固定され、したがって、溶接部を様々な場所に配置するためにワイヤ送給装置１２０の移動を必要とする。この構成を考慮すると、適切な電源に接続された、適切なワイヤ送給装置の選択が、適切な溶接部を配置するために必要である。第１に、適切な接続性は、両方の装置が電力の供給に対して互換性があることを保証する。第２に、適切なワイヤ送給装置の選択は、溶接物１５０に配置された溶接部が所望の電力出力、ワイヤ送給速度、溶接材料サイズ、溶接材料組成等を用い、これらは電源によって決定されることができる。最終的に、装置の接続性の識別はまた、トラブルシューティング及び／又はメンテナンスの問題が生じるとき、それらを容易にする。
【００１１】
この例では、複数の電源１１０は、電源１０２、１０４、１０６及び１０８を含み、複数のワイヤ送給装置１２０は、ワイヤ送給装置１２２、１２４、１２６及び１２８を含む。４つの電源及び４つのワイヤ送給装置がこの実施形態に描かれているが、実質的に任意の数の電源及びワイヤ送給装置が本考案の範囲内で実装されることができることが、理解されるべきである。さらに、各電源は、１又は複数のワイヤ送給装置に接続されることができ、１又は複数の電源は、各ワイヤ送給装置に要望通りに接続されることができる。対象実施形態の実装は、相当な数の電源及びワイヤ送給装置が、大規模な溶接の要求に適合する従来のシステムで生じるメンテナンス及びトラブルシューティングの難しさについての懸念無しに、溶接システム内に共存することを可能にできる。
【００１２】
各電源１０２−１０８は、入力コンポーネント及び出力コンポーネントを含むことができ、入力コンポーネントは、そこに接続されたワイヤ送給装置において出力をトリガするために用いられる。各ワイヤ送給装置１２２−１２８もまた、入力コンポーネント及び出力コンポーネントを含むことができ、入力コンポーネントは、コンポーネントの接続性を識別するために電源において出力をトリガするために用いられる。より一般的には、第１の装置（電源）が入力コンポーネントを含み、これは、そこに接続された第２の装置（ワイヤ送給装置）の出力コンポーネントを作動させるためにトリガされる。このような方法で、ユーザは、溶接作業における装置間の接続性を決定することができる。
【００１３】
この実施形態では、電源１０２は、入力コンポーネント１１２及び出力コンポーネント１４２を含み；電源１０４は、入力コンポーネント１１４及び出力コンポーネント１４４を含み；電源１０６は、入力コンポーネント１１６及び出力コンポーネント１４６を含み；そして、電源１０８は、入力コンポーネント１１８及び出力コンポーネント１４８を含む。各入力コンポーネントは、例えば、押しボタン、タッチスクリーン、スイッチ、キー又はスライダ等、入力信号を起動する及び／又はトリガするために用いられる実質的に任意のコンポーネントを含むことができる。同様に、各出力コンポーネントは、人員に特定の状態を通知するために用いられる実質的に任意のコンポーネントを含むことができる。例示的な出力コンポーネントは、光、ディスプレイ、ブザー、旗（ｆｌａｇ）、フラッシャ、又は他の適切な通知装置を含む。各出力コンポーネント１４２−１４８は、それぞれの各電源１０２−１０８との接続性を描くために特定の形状を有する。この実施形態では、出力コンポーネント１４２はキーストーン（ｋｅｙｓｔｏｎｅ）形状を有し、出力コンポーネント１４４は星形状を有し、出力コンポーネント１４６は五角形状を有し、出力コンポーネント１４８はダイヤモンド形状を有する。各形状は、ワイヤ送給装置との電源の適合性に関連する特定の特性のセットを代表し、これらは接続される。電源とワイヤ送給装置との間の適合性は、電力、電流、電圧、周波数、ワイヤ送給速度及び／又は通信プロトコルを含む幾つかの要因に依存することができる。
【００１４】
電源１０２−１０８と同様に、ワイヤ送給装置１２２−１２８はそれぞれ、入力コンポーネント及び出力コンポーネントを含む。この例では、ワイヤ送給装置１２２は、入力コンポーネント１３２及び出力コンポーネント１５２を含み；ワイヤ送給装置１２４は、入力コンポーネント１３４及び出力コンポーネント１５４を含み；ワイヤ送給装置１２６は、入力コンポーネント１３６及び出力コンポーネント１５６を含み；そして、ワイヤ送給装置１２８は、入力コンポーネント１３８及び出力コンポーネント１５８を含む。各出力コンポーネントは、上述のように、電源とのそれぞれのワイヤ送給装置の適合性及び接続性を示す特定の形状と関連付けられる。この例では、出力コンポーネント１５２は五角形状を有し、出力コンポーネント１５４はダイヤモンド形状を有し、出力コンポーネント１５６は星形状を有し、出力コンポーネント１５８はキーストーン形状を有する。
【００１５】
図示されるように、出力コンポーネント１５２−１５８は、各ワイヤ送給装置１２２−１２８と電源１０２−１０８との間に１対１の接続性があるように、出力コンポーネント１４２−１４８と対応する形状を有する。この例では、各対が適合する出力コンポーネント形状を有するように、ワイヤ送給装置１２２は電源１０６に適合し；ワイヤ送給装置１２４は電源１０８に適合し；ワイヤ送給装置１２６は電源１０４に適合し；そして、ワイヤ送給装置１２８は電源１０２に適合する。したがって、例では、入力コンポーネント１１２がトリガされるとき、出力コンポーネント１５６が作動される。同様に、入力コンポーネント１３８がトリガされるとき、出力コンポーネント１４４が作動される。他の例では、入力コンポーネント１１２が作動されるとき、出力コンポーネント１５８及び１４２の両方が作動される。このように、ユーザは、ワイヤ送給装置１２６と電源１０２の及びその逆の間の接続性を識別することができる。作業中、ユーザは、生じ得るトラブルシューティング目的のために及び／又は交換又はメンテナンス問題のために、このような接続性を識別することができる。
【００１６】
各電源は、溶接物１５０及びそれぞれのワイヤ送給装置の両方に電気的に結合される。この実施形態では、電源１０２は接地ケーブル１６２を介して溶接物１５０に接続され；電源１０４は接地ケーブル１６４を介して溶接物１５０に接続され；電源１０６は接地ケーブル１６６を介して溶接物１５０に接続され、そして電源１０８は接地ケーブル１６８を介して溶接物１５０に接続される。接地ケーブル１６２−１６８は、電気溶接のためのアークを作るために、各電源及びワイヤ送給装置の溶接材料から溶接物１５０への直流又は交流のいずれかの伝達を可能にするための回路を完成させる。ワイヤ送給装置から溶接位置に供給された溶接材料は、特定の溶接プロセス要件に相応する直径で変動することができるとともに、例えば、鋼、鋳鉄、ニッケル、アルミニウム及び銅等、溶接される材料に対応している材料から作られることができる。電源１０２−１０８は、例えば、被覆金属アーク溶接（ＳＭＡＷ）、手動金属アーク溶接（ＭＭＡＷ）、ガス金属アーク溶接（ＧＭＡＷ）、フラックスコアードアーク溶接（ＦＣＡＷ）、又はサブマージドアーク溶接（ＳＡＷ）プロセス等、適切な溶接作業とともに使用するために一定電流又は一定電圧を供給することができる。
【００１７】
ケーブル１７２、１７４、１７６及び１７８は、それぞれの電源とそれと接続しているワイヤ送給装置との間の電力及び／又はデータの伝送を容易にする。ケーブル１７２−１７８はそれぞれ、制御、接続性、アラーム及び／又は電力に関連するデータを独立して伝送する複数の導線を表すことができる。この実施形態では、電源１０２はケーブル１７２を介してワイヤ送給装置１２６に接続され；電源１０４はケーブル１７４を介してワイヤ送給装置１２８に接続され；電源１０６はケーブル１７６を介してワイヤ送給装置１２２に接続され、そして電源１０８は設置ケーブル１６８を介してワイヤ送給装置１２４に接続される。このような方法で、入力コンポーネント１１２−１１８、１２２−１２８からの信号の伝送は、それぞれの出力コンポーネント１４２−１４８、１５２−１５８をトリガするようにケーブル１７２−１７８によって容易にされる。
【００１８】
図２は、溶接システムの代替実施形態を示し、上で詳述したように、ワイヤ送給装置１２２−１２８に結合された電源１０２−１０８を含む。この実施形態では、各電源／ワイヤ送給装置対は、専用制御ケーブルを含み、この専用制御ケーブルは、それぞれのワイヤ送給装置と接続する各電源の間のデータの通信を容易にするために用いられる。この実施形態では、ワイヤ送給装置１２２は、制御ケーブル２５２を介して電源１０６と接続され；ワイヤ送給装置１２４は、制御ケーブル２５４を介して電源１０８と接続され；ワイヤ送給装置１２６は、制御ケーブル２５６を介して電源１０４と接続され、そしてワイヤ送給装置１２８は、制御ケーブル２５８を介して電源１０２と接続される。各制御ケーブル２５２−２５８は、各ワイヤ送給装置と電源との間のデータの双方向通信を容易にする。例では、入力コンポーネント１１６が電源１０６に関して作動されるとき、データが、出力コンポーネント１５２を通って出力をトリガするように、制御ケーブル２５２によってワイヤ送給装置１２２に伝えられる。代替的に又は追加的に、出力は、電源１０６の出力コンポーネント１４６によって局所的にトリガされる。これらの出力に基づいて、オペレータは、電源１０６とワイヤ送給装置１２２との接続性を素早く識別することができる。
【００１９】
実施形態では、制御ケーブル２５２−２５８は制御信号を伝送し、ケーブル１７２−１７８は電力の伝達のために用いられる。例えば、物理ケーブル及びシリアル通信プロトコル、赤外線通信、直接モデム通信、リモートダイヤルアップネットワーク通信、市販のネットワークコードによる通信（例えば、ＴＣＰ／ＩＰを使用）、リモートアクセスサービス、無線モデム通信、無線セルラーデジタルパケットデータ（ＣＤＰＤ）、無線ブルートゥース（商標）通信、ファイヤーワイヤ（商標）通信又は任意の他の適切なハードワイヤ若しくは無線通信手段等、様々な通信プロトコルが、制御ケーブル２５２−２５８によってデータを伝送するために用いられることができる。図３は、電源１０６とワイヤ送給装置１２２との間の無線通信３１４並びに電源１０８とワイヤ送給装置１２４との間の無線通信３１４を示す。無線通信３１４、３１８は、ブルートゥース（商標）、無線イーサネット、セルラー、又はそれぞれの電源とワイヤ送給装置との間のデータの伝送を容易にする他の適切な通信プロトコルを含む、実質的に任意のプロトコルを用いることができる。このように、入力が電源又はワイヤ送給装置のいずれかから開始されるとき、適切な出力が、溶接システム３００内の適切な場所に表示されることができ、それによってワイヤ送給装置と電源との接続性を示す。このために、無線通信はまた、無線ネットワーク内でデータを送信するために、例えば、携帯デバイス、無線中継器、無線ルータ等、１又は複数のサードパーティのコンポーネントを含むことができる。
【００２０】
図４は、他の代替実施形態を示し、コンピュータ４２６が、溶接システム４００内の各電源及びワイヤ送給装置に結合される。この例では、ワイヤ送給装置１２２と電源１０６との間の接続が強調されている。データ４１２が、識別情報、入力通知、及び他のデータをワイヤ送給装置１２２からコンピュータ４２６に提供するために、伝送される。データ４１２はまた、適切であるように出力コンポーネント１５２をトリガするために電源（例えば、電源１０６）から送信される出力起動情報を含み得る。データ４１４が、識別情報、入力通知、及び他のデータを電源１０６からコンピュータ４２６に提供するために、伝送される。例では、データ４１２又はデータ４１４内の識別情報は、型番、ＲＦＩＤコード、シリアルナンバ、ＧＰＳ位置、製造業者、電力要求、電圧要求、電流要求、並びに電源１０６及び／又はワイヤ送給装置１２２の他の識別特性を含むことができる。このように、装置の接続性が評価されることができる。
【００２１】
さらに、他の実施形態では、装置の適合性もまた識別されることができる。この例では、ワイヤ送給装置は、溶接システム４００内の電源にまだ接続されていない。コンピュータ４２６は、ユーザによる評価のために、溶接システム４００内の複数の電源から適合性情報を受信することができる。いったん適切な電源が識別されると、ワイヤ送給装置１２２はその後、その動作のために、この電源に接続されることができる。このために、電源の位置もまた、例えば、設備のフロアの設備の図の中又は他の位置等、ユーザが電源を効率的に識別することを可能にするように、提供されることができる。代替的に又は追加的に、電源の出力コンポーネントは、（例えば、ＧＰＳアプリケーション又は均等物を用いて）コンピュータ４２６によって提示される位置が表示されるときユーザが正しい電源を素早く識別できるように、同時に起動されることができる。コンピュータ４２６からの情報の配布は、例えば、生産監視ソフトウェア、監視制御及びデータ取得ソフトウェア、又は企業に広がるアプリケーション等、実質的に任意の適切なソフトウェアアプリケーション内で生じることができる。この情報は、例えば、ＷＡＮ、ＬＡＮ、インターネット接続及び／又は固有ネットワークを経由して等、コンピュータ４２６に結合された誰でもがアクセスすることができる。
【００２２】
図５は、溶接システムのさらに他の実施形態５００を示す。この実施形態では、受信コンポーネント５２０が、上述のように、ワイヤ送給装置１２２からのデータ４１２及び電源１０６からのデータ４１４を受信する。例では、受信コンポーネント５２０は、ポート、サーバ、記憶装置等の１又は複数である。相関コンポーネント５３０が、さらなる処理のために受信コンポーネント５２０からこの集合データ５１６を受信する。このために、ドライバ、アプリケーションプログラミングインタフェース又は他の適切なソフトウェアが、受信コンポーネント５２０から相関コンポーネント５３０へのデータ５１６の伝送を容易にするために用いられることができる。この実施形態では、相関コンポーネント５３０は、メモリ５３４に記憶されたデータ５６２に関連するコートを実行するためのプロセッサ５３８を含む。例では、プロセッサ５３８は、ワイヤ送給装置が電源に接続されているかどうかを評価するために、データ５６２をデータ５１６と（例えば、ルックアップテーブル又は均等物を用いて）比較する。いったんデータ処理が完了すると、データ５１８が、例えば、光、ブザー、電子メール、テキストメッセージ及び／又はＧＰＳ位置等、１又は複数のユーザによる使用のために携帯デバイス５４０に出力される。
【００２３】
受信コンポーネント５２０は、入力コンポーネント１１６及び／又は入力コンポーネントのトリガ等、適切な入力があるとき、データ４１２、４１４を受信することができる。図４を参照して上記されたように、データ４１２、４１４は、型番、１又は複数の電力要求、ＲＦＩＤコード、シリアルナンバ、製造業者、又はワイヤ送給装置に対する電源の相関関係を容易にするための他の識別特性を含むことができる。いったん相関コンポーネント５３０がワイヤ送給装置１２２と電源１０６との間の接続性を決定すると、この情報は携帯デバイス５４０に送信され、この携帯デバイスは、携帯電話、タブレット、スマートホン、ラップトップコンピュータ、又は溶接システム５００内の電源とワイヤ送給装置との接続性に関連するデータを表示することができる他の携帯電子コンポーネントであり得る。
【００２４】
特定の実施形態では、携帯デバイス５４０はグローバルポジショニングシステムであり、これは、溶接システム５００が配置されている作業スペースの地図を含む。各電源及びワイヤ送給装置は、例えば、ＧＰＳ座標及び／又はその中に埋め込まれたＲＦＩＤタグからの等、位置識別子を出力することができ、これは受信コンポーネント５２０に送信される。この位置情報は次に、携帯デバイス５４０のＧＰＳアプリケーション内に表示される。このような方法で、ユーザは、溶接システム５００内の任意のワイヤ送給装置又は電源の物理的な位置を決定するために、始点から終点までＧＰＳに従うことによって適切な位置に携帯デバイス５４０を運ぶことができる。ユーザはしたがって、必要に応じて溶接システム内の電源及びワイヤ送給装置を素早くトラブルシュートする及び／又はメンテナンスするために、溶接システム内の電源及びワイヤ送給装置の位置（及びそれらの接続性）を識別するよう、相関コンポーネント５３０及び対応する携帯デバイス５４０を使用し得る。
【００２５】
図６は、溶接システム内の電源とワイヤ送給装置との間の接続性を識別するために使用される方法６００を示す。参照番号６１０において、入力が、溶接システム内の電源に接続されているワイヤ送給装置から受信される。このような入力は、ユーザが溶接システム内で信号の伝送をトリガすることを可能にするように、例えば、押しボタン、スイッチ、スライダ等、物理デバイスの使用によって開始されることができる。例では、入力トリガの結果として送信される情報は、例えば、型番、シリアルナンバ、製造業者、電力要求又は装置の接続性及び／又は適合性を評価するための他の指標等、特性を識別することを含むことができる。
【００２６】
６２０において、この情報は、どの電源がそこから入力が受信されたワイヤ送給装置に接続されているかを決定するために用いられる。ステップ６１０で受信された指標は、１つのデバイスの他に対する接続性を決定するために評価される及び／又はメモリテーブル又は他の手段内に記憶されたデータと比較される。例では、特定の型番及び／又は製造番号を持つ電源は、市場で入手可能なワイヤ送給装置のモデル及び／又は製造元の既知のリストとの適合性を有する。したがって、入力がワイヤ送給装置から受信されるとき、ルックアップテーブルは、例えばワイヤ送給装置の型番等、識別特性を受信することができ、この識別特性は次に、電源のどのモデルが、接続性に関してワイヤ送給装置が適合しているかを決定するために、ルックアップテーブルと比較される。この情報は、このような装置が物理的に接続されているかどうかを決定することと共に、装置が、適合しているかどうかを決定するために、電源の型番と比較されることができる。
【００２７】
６３０において、いったんこのような決定が行われると、通知が、電源とワイヤ送給装置との間の接続性を識別するために出力される。例では、光、ブザー、旗又は他の通知が、電源及び／又はワイヤ送給装置において、装置が接続されていることを人員に通知するために出力される。他の例では、通知が、作業エリア内の電源及び／又はワイヤ送給装置をユーザが素早く見つけることを可能にするために、ユーザにこのような装置の位置を提供するよう、例えば、携帯電話、タブレット、又はＧＰＳ等、携帯デバイスに出力されることができる。このように、複数のワイヤ送給装置が、作業エリア内で複数の電源とともに用いられるとき、ワイヤ送給装置と電源との間の接続性の識別が、効果的に容易にされることができる。
【００２８】
図７は、溶接システム内の電源とワイヤ送給装置との間の接続性を識別するために通知を出力するための方法７００である。７１０において、電源の接続性の識別が、ワイヤ送給装置に対して開始される。このような開始は、次に７２０において受信されるとともに７３０においてメモリ記憶装置のデータと比較される、例えば、押しボタン、スイッチ又はキーボード等の入力コンポーネントの形態で来ることができる。いったん比較が行われると、７４０において、評価が、電源がワイヤ送給装置に接続されているかどうかを決定するために行われる。電源がワイヤ送給装置に接続されていることが分かった場合、通知が、７５０において、このような接続性を識別するために出力される。このように、いったん識別が開始されると、通知が、溶接システム内でワイヤ送給装置に対する電源の物理的な位置を識別することをユーザに可能にするよう、素早く出力されることができる。方法は、特定の電源がワイヤ送給装置に接続されていない場合、適切なワイヤ送給装置が識別されるまで、溶接システム内の追加のワイヤ送給装置を評価するために、７２０に戻って継続する。
【００２９】
一実施形態では、プロセッサ４２６、５３８（「プロセッサ」）は、本明細書に開示されたシステム及び方法に記載のアーキテクチャを実行するように動作可能なコンピュータである。本考案の様々な態様に関する追加的な状況を提供するために、以下の記述は、本考案の様々な態様が実装され得る適切なコンピューティング環境の簡潔な、一般的な説明を提供することが意図される。本考案は、１又は複数のコンピュータで動作し得るコンピュータ実行可能命令の一般的な文脈で上述されているが、当業者は、本考案がまた、他のプログラムモジュールとの組み合わせで及び／又はハードウェアとソフトウェアの組み合わせとして実装され得ることを認めるであろう。一般的に、プログラムモジュールは、特定のタスクを実行する又は特定の抽象データ型を実装する、ルーチン、プログラム、コンポーネント、データ構造等を含む。
【００３０】
さらに、当業者は、本考案の方法が、シングルプロセッサ又はマルチプロセッサコンピュータシステム、ミニコンピュータ、メインフレームコンピュータ、並びに、パーソナルコンピュータ、ハンドヘルドコンピューティングデバイス、マイクロプロセッサベースの又はプログラム可能な民生用電子機器、及びその他同種のものを含み、これらのそれぞれが１又は複数の付随するデバイスに動作可能に結合され得る、他のコンピュータシステムを用いて実施され得ることを、理解するであろう。本考案の示された態様はまた、あるタスクが通信ネットワークを通じてリンクされるリモート処理デバイスによって実行される、分散コンピューティング環境で実施され得る。分散コンピューティング環境では、プログラムモジュールは、ローカル及びリモートメモリ記憶装置の両方に置かれ得る。
【００３１】
プロセッサは、コンピュータを含む本考案の種々の態様を実施するための例示的な環境を利用することができ、コンピュータは、処理ユニット、システムメモリ及びシステムバスを含む。システムバスは、システムメモリを含むがこれに限定されないシステムコンポーネントを処理ユニットに結合する。処理ユニットは、種々の市販プロセッサのうちの任意のものであり得る。デュアルマイクロプロセッサ及び他のマルチプロセッサアーキテクチャもまた、処理ユニットとして用いられることができる。
【００３２】
システムバスは、メモリバス又はメモリコントローラ、周辺バス及び種々の市販のバスアーキテクチャのうちの任意のものを用いるローカルバスを含む幾つかの種類のバス構造のうちの任意のものであることができる。システムメモリは、リードオンリメモリ（ＲＯＭ）及びランダムアクセスメモリ（ＲＡＭ）を含むことができる。例えば起動中等、プロセッサ内の要素間で情報を転送することを助ける基本ルーチンを含む、基本入出力システム（ＢＩＯＳ）は、ＲＯＭに格納される。
【００３３】
プロセッサは、例えばリムーバブルディスクから読み出す又は書き込むための、ハードディスクドライブ、磁気ディスクドライブ、及び、例えばＣＤ−ＲＯＭディスクから読み出すための又は他の光学媒体から読み出す又は書き込むための、光ディスクドライブを更に含むことができる。プロセッサは、少なくともある形態のコンピュータ可読媒体を含むことができる。コンピュータ可読媒体は、コンピュータによりアクセス可能な任意の利用可能な媒体であることができる。例として、限定ではなく、コンピュータ可読媒体は、コンピュータ記憶媒体及び通信媒体を有し得る。コンピュータ記憶媒体は、コンピュータ可読命令、データ構造、プログラムモジュール又は他のデータのような情報を記憶するための任意の方法又は技術で実装される揮発性及び不揮発性、取り外し可能及び非取り外し可能媒体を含む。コンピュータ記憶媒体は、ＲＡＭ、ＲＯＭ、ＥＥＰＲＯＭ、フラッシュメモリ又は他のメモリ技術、ＣＤ−ＲＯＭ、デジタルバーサタイルディスク（ＤＶＤ）又は他の磁気記憶装置、又は所望の情報を格納するために用いることができるとともにプロセッサによりアクセスされることができる任意の他の媒体を含むが、これらに限定されない。
【００３４】
通信媒体は、通常、コンピュータ可読命令、データ構造、プログラムモジュール又は搬送波又は他の伝達機構のような変調データ信号の他のデータを具現化し、任意の情報配信媒体を含む。用語「変調データ信号」は、情報を信号内にエンコードするような方法で、特性セットの１又は複数を有する又は変更された信号を意味する。例として、限定ではなく、通信媒体は、有線ネットワーク又は直接有線接続のような有線媒体、並びに音響、ＲＦ、赤外線及び他の無線媒体のような無線媒体を含む。上述のものの任意の組合せも、コンピュータ可読媒体の範囲に包含されるべきである。
【００３５】
オペレーティングシステム、１又は複数のアプリケーションプログラム、他のプログラムモジュール、及びプログラムデータを含む、幾つかのプログラムモジュールが、ドライブ及びＲＡＭに格納され得る。プロセッサ内のオペレーティングシステムは、幾つかの市販オペレーティングシステムのうちの任意のものであり得る。
【００３６】
さらに、ユーザは、キーボード及びマウスのようなポインティングデバイスを通じて、コンピュータにコマンド及び情報を入力し得る。他の入力コンポーネントは、マイクロフォン、赤外線（ＩＲ）リモコン、トラックボール、ペン入力コンポーネント、ジョイスティック、ゲームパッド、デジタイジングタブレット、衛星アンテナ、スキャナ、等を含み得る。これらの及び他の入力コンポーネントはしばしば、システムバスに結合されるシリアルポートインタフェースを通じて、処理ユニットに接続されるが、パラレルポート、ゲームポート、ユニバーサルシリアルバス（ＵＳＢ）、ＩＲインタフェース、及び／又は種々の無線技術のような、他のインタフェースによって接続されてもよい。モニタ、又は他の種類のディスプレイ装置がまた、ビデオアダプタのようなインタフェースを介してシステムバスに接続され得る。視覚出力もまた、リモートデスクトッププロトコル、ＶＮＣ、Ｘウインドウシステムのようなリモートディスプレイネットワークプロトコルを通じて達成され得る。視覚出力に加え、コンピュータは、通常、スピーカ、プリンタ等のような他の周辺出力装置を含む。
【００３７】
ディスプレイは、処理ユニットから電子的に受信されたデータを提示するために、プロセッサと共に用いることができる。例えば、ディスプレイは、ＬＣＤ、プラズマ、ＣＲＴ等の、データを電子的に提示するモニタであり得る。代替的に又は追加的に、ディスプレイは、プリンタ、ファクシミリ、プロッタ等のようなハードコピー形式で受信したデータを提示できる。ディスプレイは、任意の色でデータを提示でき、任意の無線又は有線プロトコル及び／又は規格を用いてプロセッサからデータを受信できる。
【００３８】
コンピュータは、リモートコンピュータのような、１又は複数のリモートコンピュータへの論理及び／又は物理接続を用いてネットワーク環境で動作できる。リモートコンピュータは、ワークステーション、サーバコンピュータ、ルータ、パーソナルコンピュータ、マイクロプロセッサベースのエンターテイメント機器、ピア装置又は他の一般的なネットワークノードであることができ、通常、コンピュータに関して記載された要素の多く又は全てを含む。示された論理接続は、ローカルエリアネットワーク（ＬＡＮ）及び広域ネットワーク（ＷＡＮ）を含む。このようなネットワーク環境は、職場、企業規模のコンピュータネットワーク、イントラネット及びインターネットで一般的である。
【００３９】
ＬＡＮネットワーク環境で用いられるとき、コンピュータは、ネットワークインタフェース又はアダプタを通じて、ローカルネットワークに接続される。ＷＡＮネットワーク環境で用いられるとき、コンピュータは一般に、モデムを含む、ＬＡＮにある通信サーバに接続される、又はインターネットのようなＷＡＮを介して通信を確立する他の手段を有する。ネットワーク環境では、コンピュータに関連して示されたプログラムモジュール、又はその部分が、リモートメモリ記憶装置に格納され得る。本願明細書に記載されたネットワーク接続は、例示であり、コンピュータ間の通信リンクを確立する他の手段が用いられ得ることが理解される。
【００４０】
上述の例は、本考案の種々の態様の幾つかの可能な実施形態の単なる例証であり、当業者は、この明細書及び添付の図面を読むとともに理解することで、均等な変更及び／又は修正を思い付くであろう。特に、上記のコンポーネント（組立体、デバイス、システム、回路等）によって実行される様々な機能に関して、このようなコンポーネントを記載するために使用される用語（「手段」の言及を含む）は、特に明記されない限り、本考案の図示された実装における機能を実行する開示された構造と構造的に均等でなかったとしても、（例えば機能的に均等である）記載されたコンポーネントの特定の機能を実行する、例えばハードウェア、ソフトウェア又はそれらの組み合わせ等の任意のコンポーネントに対応することが意図される。加えて、本考案の特定の特徴が、幾つかの実装のうちの１つのみに対して開示されているかもしれないが、このような特徴は、任意の所与の又は特定の応用に対して望まれ得る又は有利であり得るように、他の実装の１又は複数の他の実装と組み合わされ得る。また、「含んでいる（ｉｎｃｌｕｄｉｎｇ）」、「含む（ｉｎｃｌｕｄｅｓ）」、「有している（ｈａｖｉｎｇ）」、「有する（ｈａｓ）」、「を持つ（ｗｉｔｈ）」、又はこれらの変形語が詳細な説明及び／又は請求項で使用される範囲で、このような用語は、用語「有する（ｃｏｍｐｒｉｓｉｎｇ）」と同様に、包含的であることが意図される。
【００４１】
この明細書は、ベストモードを含む、本考案を開示するための、及び任意のデバイス又はシステムを製造すること及び使用すること並びに任意の組み入れられる方法を実行することを含む、当業者が本考案を実施することを可能にするための例を使用する。本考案の範囲は、請求項によって定められ、当業者が思い付く他の例を含み得る。このような例は、それらが、請求項の文言と違わない構造的な要素を有する場合、又はそれらが請求項の文言と実質的でない違いを持つ均等な構造的な要素を含む場合、請求項の範囲内にあることが意図される。
【符号の説明】
【００４２】
１００  溶接システム
１０２  電源
１０４  電源
１０６  電源
１０８  電源
１１０  電源
１１２  入力コンポーネント
１１４  入力コンポーネント
１１６  入力コンポーネント
１１８  入力コンポーネント
１２０  ワイヤ送給装置
１２２  ワイヤ送給装置
１２４  ワイヤ送給装置  
１２６  ワイヤ送給装置
１２８  ワイヤ送給装置
１３２  入力コンポーネント
１３４  入力コンポーネント
１３６  入力コンポーネント
１３８  入力コンポーネント
１４２  出力コンポーネント
１４４  出力コンポーネント
１４６  出力コンポーネント
１４８  出力コンポーネント
１５０  溶接物
１５２  出力コンポーネント
１５４  出力コンポーネント
１５６  出力コンポーネント
１５８  出力コンポーネント
１６２  接地ケーブル
１６４  接地ケーブル
１６６  接地ケーブル
１６８  接地ケーブル
１７２  ケーブル
１７４  ケーブル
１７６  ケーブル
１７８  ケーブル
２００  代替実施形態
２５２  制御ケーブル
２５４  制御ケーブル
２５６  制御ケーブル
２５８  制御ケーブル
３１４  無線通信
３１８  無線通信
４００  溶接システム
４１２  データ
４１４  データ
４２６  コンピュータ
５００  溶接システム
５１６  集合データ
５１８  データ
５２０  受信コンポーネント
５３０  相関コンポーネント
５３４  メモリ
５３８  プロセッサ
５４０  携帯デバイス
５６２  データ
６００  方法
６１０  ステップ
６２０  ステップ
６３０  ステップ
７００  方法
７１０  ステップ
７２０  ステップ
７３０  ステップ
７４０  ステップ
７５０  ステップ
【図１】
0003195867.tif 000003
【図２】
0003195867.tif 000004
【図３】
0003195867.tif 000005
【図４】
0003195867.tif 000006
【図５】
0003195867.tif 000007
【図６】
0003195867.tif 000008
【図７】
0003195867.tif 000009